(57)【要約】【課題】  血液の循環を促進する循環靴を提供する。【解決手段】  制御装置１及び靴２から組成される。靴２の足踏み面に、複数の極性導電薄片２１、極性導電薄片２２を設ける。各極性導電薄片２１、極性導電薄片２２は皆、導電材料で接続され、集中のように靴の表面２５又は靴のヒール２６に配置され、中、低周波の按摩が提供可能である。制御装置１は靴２の表面、又は靴のヒール２６に隠され、しかも、直接、ワイヤコントロール又はリモートコントロールが可能である。制御装置１と電池台座は一体化又は分離式のように構成され、ほかの周辺の導電用具と結合するように使用可能である。靴２には、切替スイッチが設けられるので、一足の二つ靴が直列に接続される。よって、足底、両足、肢体の局部又は全部は血液、元気の循環のために按摩される。【選択図】    図１
0003110410.tif 000002
【実用新案登録請求の範囲】
【請求項１】
制御装置（１）と、靴（２）とを備え、
靴（２）の足踏み面に、複数の極性導電薄片（２１）、極性導電薄片（２２）を設け、靴（２）のヒール（２６）には、収容孔（２６１）を備え、収容孔（２６１）には、予め回路基板（２６２）、ワングループの導電接続端子（２６３）を設け、極性導電薄片（２１）、極性導電薄片（２２）の導電材料（２１１）、導電材料（２２１）に接続し、制御装置（１）も対応するように、導電接続端子（１３）を設け、
制御装置（１）を収容孔（２６１）に嵌め込んだあとで、導電接続端子（２６３）は導電接続端子（１３）との接続を形成し、制御装置（１）に導電、相通、結合し、
制御装置（１）は内部の回路を経由して、パルス高圧を提供して、出力端を構成し、
出力端は導電接続端子（１３）により、靴（２）の導電接続端子（２６３）と導電するので、足底、両足、肢体の局部又は全部を血液、元気の循環のために按摩することを特徴とする循環靴。
【請求項２】
制御装置（１）は、中枢のＩＣを配置し、ＩＣでパルスを伝送し、インダクションコイル、コンデンサーを充電、放電させ、高圧が生じ、また、プログラムで、パルスのひろさを制御することを特徴とする請求項１記載の循環靴。
【請求項３】
制御装置（１）のパネルに、複数の制御キー（１１）、ＬＣＤ表示板（１２）、後端の導電接続端子（１３）を設ける他、一つの電源スイッチ（１４）、二つ又は二つ以上の外部接続ソケット（１５）、一つの延長ワイヤソケット（１６）をさらに備え、
導電接続端子（１３）は回路基板（２６２）につなぐために、接続ポート（１７）を形成し、
導電接続端子（１３）は靴のヒールの収容孔（２６１）における導電接続端子（１６３）にマッチするように配置され、
延長ワイヤソケット（１６）は延長ワイヤ（１６１）のコンネクター（１６２）にマッチするように対応し、ワイヤコントロールの組合を形成することを特徴とする請求項１記載の循環靴。
【請求項４】
靴（２）には、極性の切替スイッチ２４が設けられ、各極性導電薄片（２１）、極性導電薄片（２２）の正、負極性を切り換えて制御することを特徴とする請求項１記載の循環靴。
【請求項５】
靴（２）のヒール（２６）に、収容孔（２６１）が設けられ、制御装置（１）を挿入して収納することを特徴とする請求項１記載の循環靴。
【請求項６】
制御装置（１）は接続ワイヤ３１を経由し、延長ワイヤのソケット（１６）に挿入することにより、導電の手袋（３２）又は導電バー（３３）など周辺の導電用具に結合し使用可能であることを特徴とする請求項１記載の循環靴。
【請求項７】
制御装置（１）はワイヤレスリモートコントロール可能であることを特徴とする請求項１記載の循環靴。
【請求項８】
制御装置（１）の二つ側壁に、嵌め込み溝（１９）が設けられ、靴のヒール（２６）の収容孔（２６１）の内壁に、相互に配合する嵌め薄片も設置されることにより、制御装置（１）は収容孔（２６１）に埋め込まれることを特徴とする請求項１記載の循環靴。
【請求項９】
靴（２）の極性導電薄片（２１）、極性導電薄片（２２）に、さらに所定の導電つぼ（２７１）を備える絶縁の靴パッド（２７）を敷くことを特徴とする請求項１記載の循環靴。
【請求項１０】
絶縁の靴パッド（２７）は絶縁薄片体であり、導電つぼ（２７１）は中空孔であることを特徴とする請求項１記載の循環靴。
【請求項１１】
絶縁の靴パッド（２７）の導電つぼ２７１は導電の物質が充填されていることを特徴とする請求項９記載の循環靴。
【請求項１２】
制御装置（１）と、靴（２）とを備え、
靴（２）の足踏み面に、複数の極性導電薄片（２１）、極性導電薄片（２２）を設け、各極性導電薄片（２１）、極性導電薄片（２２）は皆、導電材料（２１１）、導電材料（２２１）で接続され、集中するように靴（２）の選定部位に設けられ、
複数の向き合う導電ボタン（２３）を構成し、集中の導電ボタン（２３）が制御装置（１）に導電、相通、結合し、
制御装置（１）は内部の回路を経由して、パルス高圧を提供し、複数の接続端子（１３ａ）となる出力端を構成し、
出力端は靴（２）の導電ボタン（２３）に導電、結合することで、足底、両足、肢体の局部又は全部を血液、元気の循環のために按摩することを特徴とする循環靴。
【請求項１３】
制御装置（１）は靴（２）の靴面（２５）に結合されることを特徴とする請求項１２記載の循環靴。
【請求項１４】
制御装置（１）の電池台座（１８）は制御装置（１）と分離され、単独に靴のヒール２６に隠され、
靴のヒール（２６）に、カバー（２６４）を設けることを特徴とする請求項１２記載の循環靴。
【請求項１５】
靴（２）には、極性の切替スイッチ（２４）を設け、各極性導電薄片（２１）、極性導電薄片（２２）の正負極性を切り換えて制御可能であることを特徴とする請求項１２記載の循環靴。
【請求項１６】
制御装置は二つ又は二つ以上の外部接続ソケット（１５）を有し、周辺の導電用具と接続し使用可能であることを特徴とする請求項１２記載の循環靴。
【考案の詳細な説明】
【技術分野】
【０００１】
本考案は、元気、血液の循環靴の設計に関し、特に足底、両足、肢体の局部又は全部を血液、元気の循環のために按摩するという中、低週波の按摩靴に関する。
【背景技術】
【０００２】
従来から、既知の靴、例えば、スリッパ、サンダル、運動靴、皮靴、山登り靴又はレジャー靴など様々な靴はただ履くためのファンクションを持ち、足底又は下肢体の元気、血液の循環などほかの機能を提供することができない。また、既知の按摩靴はほぼ、靴の底面に、複数の凸粒子又は磁石を設置する。複数の凸粒子又は磁石を経由して、足底を接触して押し、按摩の効果を得る。
【考案の開示】
【考案が解決しようとする課題】
【０００３】
しかしながら、従来の按摩靴は、ユーザの足底の苦痛をいつも招くので、使用の効果が理想的であると言いきれず、つまり、足底又は下肢体の元気、血液の循環を本当に促進することが難しい。
【０００４】
したがって本考案の目的は、元気、血液の循環を促進可能な循環靴を提供することにある。
【課題を解決するための手段】
【０００５】
上述の目的を達成するために本考案の請求項に循環靴は、制御装置、靴から組成される。靴の足踏み面に、複数の極性導電薄片を設ける。各極性導電薄片が皆、導電材料で接続され、集中のように靴の表面又は靴のヒールに配置されるので、制御装置と導電相通、結合すると、中、低周波の按摩が提供可能である。制御装置は靴の表面に配置され、又は靴のヒールに隠され、しかも、直接に操作可能で、ワイヤコントロール又はリモートコントロールが可能である。制御装置と電池台座は一体化又は分離式のように構成され、ほかの周辺の導電用具と結合するように使用可能である。靴には、切替スイッチが設けられるので、一足の二つ靴が直列のように接続される。よって、足底、両足、肢体の局部又は全部を血液、元気の循環のために按摩する。
【考案を実施するための最良の形態】
【０００６】
以下、本考案の実施例を図面に基づいて説明する。
図１、図２に示すように本考案の第一実施例による循環靴は制御装置１を靴２の靴面２５に設置する。これは制御装置１、靴２から組成される。主に、靴２の足踏み面に、複数の極性導電薄片２１、極性導電薄片２２を設ける。各極性導電薄片２１、極性導電薄片２２は皆、導電材料２１１、導電材料２２１で接続され、集中のように靴２の選定部位に設けられ、複数の向き合う導電ボタン２３を構成する。集中の導電ボタン２３が制御装置１に導電、相通、結合すると、各極性導電薄片２１、極性導電薄片２２は中、低周波の按摩を提供することが可能である。靴２には、極性の切替スイッチ２４を設ける。各極性導電薄片２１、極性導電薄片２２は平素、独立の異なる正、負極性である。極性の切替スイッチ２４を経由して、切り換えて変更すると、各極性導電薄片２１、極性導電薄片２２は同一極性となって、一足の二つ靴２を直列に接続、組合可能とする。左右の靴２がそれぞれ独立の正負極性を持つので、週波電流は左右足の肢体を通過し、元気、血液の循環のために、両足の全部を按摩する。対して、極性切替スイッチ２４を使用しないと、各靴２は皆、独立の異なる正負極性を具有するので、片足、両足の足底を局部に元気、血液の循環のために按摩する。
【０００７】
制御装置１は主に、中枢のＩＣを配置する。ＩＣでパルスを伝送し、インダクションコイル、コンデンサーを充電、放電させ、高圧が生じる。また、プログラムで、パルスのひろさ（約1HZー150HZ）を制御するので、強弱の按摩感じを発生させる。ゆえに、制御装置１は複数の制御キー１１を持ち、それぞれ電流の増強（up）又は低減（down）、制御時間の設定、按摩モードの選定を行う。制御装置１はＬＣＤ表示板１２を有し、操作、制御モードを表す。また、内部の回路で、パルス高圧を提供し、複数の接続端子１３ａとなる出力端を構成する。制御装置１の接続端子１３ａは導電ボタン２３に合わせて、導電接続のように結ぶ以外、ほかの補助の粘着ユニット２０１、粘着ユニット２０２も採用可能で、制御装置１と靴２を安定かつ丈夫に結合することを確保する。しかも、その制御装置１は自身１を開閉するための電源スイッチ１４を有する他、二つ又は二つ以上の外部接続ソケット１５も有する。外部接続ソケット１５を経由し、接続ワイヤで、導電手袋又は導電バー３３など周辺の導電用具に結合、使用することが可能である。（以下の掲示の実施例における図１１、図１２に示すような内容と同じである）。
【０００８】
上述の実施は制御装置１を外部露出のように、靴面に設けるが、図３、図４に示す第二実施例のように、制御装置１を靴２のヒール２６に隠して埋め込むことも可能である。それは靴のヒール２６に、収容孔２６１を加工して、制御装置１を挿入して収容する。その収容孔２６１に、予め回路基板２６２、ワングループの導電接続端子２６３を配置し、導電材料２１１、導電材料２１２に接続する。制御装置も対応するように、導電接続端子１３を設ける（図５、図６参照）。そして、制御装置１を収容孔２６１に嵌め込んだあとで、導電接続端子２６３と導電接続端子１３との接続を形成する。制御装置１のパネルから、直接に操作、制御可能で、元気、血液の循環のために按摩する。
【０００９】
図５、図６に示すように、本第二実施例の制御装置１について説明する。制御装置１のパネルに、複数の制御キー１１、ＬＣＤ表示板１２、後端の導電接続端子１３を設ける他、一つの電源スイッチ１４、二つ又は二つ以上の外部接続ソケット１５、一つの延長ワイヤソケット１６も有する。導電接続端子１３は回路基板２６２につなぐように、接続ポート１７を形成する（図７、図８を参照）。電源スイッチ１４で、制御装置１を開閉する。ＬＣＤ表示板１２で、操作、制御のモードを表す。導電接続端子１３は靴のヒールの収容孔２６１における導電接続端子２６３にマッチするように配置される。延長ワイヤソケット１６は延長ワイヤ１６１のコンネクター１６２にマッチするように対応するので、延長ワイヤ１６１の接続を利用すれば、制御装置１を取り出し、ワイヤコントロールの組合となる。接続ポート１７はもう一本の接続ワイヤ１７１の接続を提供するので、一足の左右靴２を直列に接続することが可能である。（図９を参照）
【００１０】
本考案の第三実施例は図１０に示すように、制御装置１を二つの延長ワイヤソケット１６を設けてもよい。そして、二本の延長ワイヤ１６１をそれぞれ接続させ、制御装置１を靴の収容孔２６１から取り出し、左右の二つ靴２を制御し、ワンバイツーというワイヤコントロール組合を形成する。
【００１１】
図１１、図１２に示すように本考案の第四実施例では、制御装置１に設ける二つの外部接続ソケット１５はそれぞれ接続ワイヤ３１を経由し、導電の手袋３２（図１１を御参照）又は導電バー３３（図１２を御参照）など周辺の導電用具に結合して使用可能である。それで、二手のはめ又は握りを提供し、全身の元気、血液の循環のために、按摩する効果が得られる。
【００１２】
図１３は本考案の第五実施例を示す。靴２の足踏み面に、二つの極性導電薄片２１、極性導電薄片２２を設けることを示す。各靴２は独立の異なる正負極性ので、足底、両足、肢体の局部又は全部を血液、元気の循環のために按摩する。一方、図１４に示すように、極性の切替スイッチ２４を経由して、切り換えて変更し、しかも、接続ワイヤ１７１で、左右の靴２を直列に接続、組合すると、各極性導電薄片２１、極性導電薄片２２が同一極性となって、一足の左右の靴２がそれぞれ独立の正負極性を持つので、週波電流は左右足の肢体を通過し、元気、血液の循環のために、両足の全部を按摩する。
【００１３】
制御装置１は、直接に、靴２の靴面２５又は靴のヒール２６に付け、あるいはヒール２６に埋め込んで、また制御装置１を引き出して、ワイヤコントロールのアセンブリを提供する以外、リモートコントロール操作、制御を採用することも可能であり、図１５、図１６に示すように、同じ使用目的を達成する。その実施について、ただ、リモートコントロール操作、制御装置４と制御装置１との間に、ワイヤレスの発射器、受信センサーを追加することも可能である。
【００１４】
本考案の第六実施例では制御装置１の実施のときに、電源供給の電池台座を直接に制御装置１の殻体に入れて、一体化のように構成しあるいは、図１７に示すように、制御装置１と電源供給の電池台座１８を分離するように構成することも可能である。つまり、電池１８１と制御装置１を分離させ、靴のヒール２６に隠して設ける。また、靴のヒール２６の上端又はいずれの側に、カバー２６４を設置し、利便に電池１８１を変更する。
【００１５】
上述の埋め込みタイプの制御装置１の二つ側壁に、嵌め込み溝１９が設けられている。ヒール２６の収容孔２６１の内壁に、相互に配合する嵌め薄片（図面に示せず）も設置される。嵌め込み溝１９に嵌め薄片を対応するように嵌めあうと、埋め込みタイプの制御装置１は安定的に、収容孔２６１に入るので、制御装置１の振動を避ける。
【００１６】
図１９に示すように本考案の第七実施例では、靴２の足踏み面の極性導電薄片２１、極性導電薄片２２に、さらに、選定の導電つぼ２７１を具有する絶縁の靴パッド２７を敷く。導電つぼ２７１は中空孔（絶縁の靴パッド２７を絶縁薄片体として）又は導電の物質を満ちに入れる。足底を絶縁の靴パッド２７に押す場合に、各導電つぼ２７１を経由して、ただ足部の特定つぼを週波で按摩する。つまり、導電つぼ２７１に接触しない足のほかの部位は導電しない。
【００１７】
本考案に掲示する技術は按摩靴の形態組成に関連する場合に、自由に変更又は変えても、前掲の実施例に限られない。例えば、図２０に示すような靴２ａは二つ折りの形態の靴面２５１、靴面２５２で、雄、雌の粘着帯２８１、粘着帯２８２に合わせて粘着するので、靴面の弛み程度を調整して、快適に着脱可能である。
【００１８】
図２１は異なるスタイルの靴２ｂを掲示する。同じ推理で、本考案はスリッパ、サンダル、運動靴、皮靴、山登り靴又はレジャー靴など様々な靴に適用可能である。平素、靴は本来の履き機能を維持するが、制御装置１を結ぶと、制御装置１の操作、制御モードを経由して、中、低周波で、足部のつぼを按摩する効果を遂げる。
【００１９】
図２２は本考案の構造を適用して導電の手袋３２に合わせて使うと、周波で全身の元気、血液を按摩する効果を果たすと言うことを掲示する。
しかしながら、以上掲示する内容はただ本考案の実施例だけで、本考案の技術範疇を制限しない。類似の応用、技術手段で、簡易に変更、換えても、本考案の技術範疇に含まれる。
【００２０】
（本考案の効果）
本考案では靴は制御装置に結合して組成される。靴の足踏み面に、複数の導電薄片を設ける。各極性導電薄片が皆、導電材料で接続され、集中のように靴の表面又は靴のヒールなどのいずれの選定部位に配置されるので、制御装置と導電相通、結合すると、足底、両足、肢体を血液、元気の循環のために按摩する。
【００２１】
本考案は、靴に極性切替スイッチを設けるので、靴の足踏み面の導電薄片の極性を切り換えて変更する。しかも、一足の左右二つ靴を直列に接続、組合するので、足底、両足、肢体の局部又は全部を血液、元気の循環のために按摩する。
【００２２】
本考案では、制御装置は直接にパネルで操作、制御可能であるが、ワイヤ制御、リモートコントロールの組合応用も可能である。
本考案では制御装置と電源供給の電池台座は一体化又は分離式を採用し構成する。
本考案では制御装置は導電手袋又は導電バーなど周辺の導電用具に結合、使用することが可能で、全身の血液、元気の循環のために按摩する。
【００２３】
本考案では、靴の足踏み面の極性導電薄片に、さらに、選定の導電つぼを有する絶縁の靴パッドを敷くので、足部の特定つぼを週波で按摩する。
【図面の簡単な説明】
【００２４】
【図１】本考案の第一実施例による循環靴において、制御装置を靴面に設置する分解立体図である。
【図２】図１のアセンブリ立体図である。
【図３】本考案の第二実施例による循環靴において、制御装置を靴のヒールに設置する分解立体図である。
【図４】図３のアセンブリ立体図である。
【図５】本考案の第二実施例による循環靴において、埋め込む方式の制御装置を示す立体図である。
【図６】図５の別の角度からみた立体図である。
【図７】本考案の第二実施例による循環靴において、制御装置を靴のヒールに設置してある状態を示す説明図である。
【図８】本考案の第二実施例による循環靴において、制御装置を靴のヒールに設置してあるほかの状態を示す説明図である。
【図９】本考案の第二実施例による循環靴において、一足の二つ靴を直列に接続して組合う立体説明図である。
【図１０】本考案の第三実施例による循環靴において、一つの制御装置を一足の二つ靴に合わせて、ワンバイツーというワイヤコントロール状態で使用する説明図である。
【図１１】本考案の第四実施例による循環靴において、導電の手袋と結合するように使うアセンブリ説明図である。
【図１２】本考案の第四実施例による循環靴において、導電のバーと結合するように使うアセンブリ説明図である。
【図１３】本考案の第五実施例による循環靴において、一足の二つ靴をそれぞれ独立の異なる正、負極性に設置してある状態の説明図である。
【図１４】本考案の第五実施例による循環靴において、極性導電薄片を変更して、同一極性の状態を形成する状態の説明図である。
【図１５】本考案の第五実施例による循環靴において、ワイヤレスリモートコントロールの操作、制御を採用する説明図である。
【図１６】本考案の第五実施例による循環靴において、ワイヤレスリモートコントロールの操作、制御を採用する説明図である。
【図１７】本考案の第六実施例による循環靴において、制御装置と電池が分離、構成される状態を示す説明図である。
【図１８】図１７の電池を取り出した状態を示す説明図である。
【図１９】本考案の第七実施例による循環靴において、靴の足踏み面に、絶縁のパッドを敷く状態を示す説明図である。
【図２０】本考案の実施例の変形例であって、二つ折りの靴面を設ける例を示す説明図である。
【図２１】本考案の実施例の変形例であって、異なるスタイルの靴に適用した例を示す説明図である。
【図２２】本考案の実施例の変形例であって、導電の手袋に適用した例を示す説明図である。
【符号の説明】
【００２５】
１  制御装置、２  靴、４  リモートコントロール操作制御装置、１１  制御キー、１２  ＬＣＤ表示板、１３  接続端子、１４  電源スイッチ、１５  外部接続ソケット、１６  延長ワイヤソケット、１７  接続ポート、１８  電池台座、１９  嵌め込み溝、２１  極性導電薄片、２２  極性導電薄片、２３  導電ボタン、２４  切替スイッチ、２５  靴面、２６  靴のヒール、２７  絶縁の靴パッド、３１  接続ワイヤ、３２  導電手袋、３３  導電バー、１６１  延長ワイヤ、１６２  コンネクター、１７１  接続ワイヤ、１８１  電池、２０１  粘着ユニット、２１１  導電材料  、２２１  導電材料、２５１  二つ折り靴面、２６１  収容孔、２６２  回路基板、２６３  接続端子、２６４  カバー、２７１  導電つぼ、２８１  雄の粘着帯、２８２  雌の粘着帯
【図１】
0003110410.tif 000003
【図２】
0003110410.tif 000004
【図３】
0003110410.tif 000005
【図４】
0003110410.tif 000006
【図５】
0003110410.tif 000007
【図６】
0003110410.tif 000008
【図７】
0003110410.tif 000009
【図８】
0003110410.tif 000010
【図９】
0003110410.tif 000011
【図１０】
0003110410.tif 000012
【図１１】
0003110410.tif 000013
【図１２】
0003110410.tif 000014
【図１３】
0003110410.tif 000015
【図１４】
0003110410.tif 000016
【図１５】
0003110410.tif 000017
【図１６】
0003110410.tif 000018
【図１７】
0003110410.tif 000019
【図１８】
0003110410.tif 000020
【図１９】
0003110410.tif 000021
【図２０】
0003110410.tif 000022
【図２１】
0003110410.tif 000023
【図２２】
0003110410.tif 000024